(57)【要約】【課題】第１分割部材および第２分割部材に割れが発生しにくい転がり軸受を提供する。【解決手段】保持器５０は、軸方向に２分する分割面５２を有するとともに、連結穴を円周方向に複数有し、保持器５０は、分割面５２で分割された第１分割部材５６および第２分割部材５７と、第１分割部材５６および第２分割部材５７を連結する連結部材７０とからなり、連結穴は、第１分割部材５６の第１分割穴５６ａと、第２分割部材５７の第２分割穴５７ａとで構成され、連結部材７０は、第１分割穴５６ａおよび第２分割穴５７ａに嵌合される嵌合部７２を有するとともに、嵌合部７２を第１分割穴５６ａおよび第２分割穴５７ａに対し弾性力で持って接触させる弾性機能を有し、弾性力による第１分割穴５６ａおよび嵌合部７２間の摩擦力、第２分割穴５７ａおよび嵌合部７２間の摩擦力が発生し、第１分割部材５６および第２分割部材５７を互いに連結した。【選択図】図２
2015075140.tif 000002
【特許請求の範囲】
【請求項１】
内周に外輪側軌道面を形成したリング状の外輪と、この外輪の内周側に配置され、外周に内輪側軌道面を形成したリング状の内輪と、前記外輪および前記内輪間に配置され、円周方向に複数のポケットを形成したリング状の保持器と、前記外輪側軌道面および前記内輪側軌道面上を転動し、前記ポケットに回転可能に保持される複数の転動体とを備えた転がり軸受において、
前記保持器は、前記ポケットを含む位置で軸方向に２分する分割面を有するとともに、前記分割面と交差する方向に穿孔された連結穴を円周方向に複数有し、
前記保持器は、前記分割面で分割された第１分割部材および第２分割部材と、前記第１分割部材および前記第２分割部材を連結する棒状の連結部材とからなり、
前記第１分割部材は、前記連結穴の一部を構成する第１分割穴を有し、
前記第２分割部材は、前記連結穴の前記第１分割穴以外の残りの部分を構成する第２分割穴を有し、
前記連結部材は、前記第１分割穴および前記第２分割穴に嵌合される嵌合部を有するとともに、前記嵌合部を前記第１分割穴および前記第２分割穴に対し外径方向に拡大する弾性力で持って接触させる弾性機能を有し、
前記弾性力による前記第１分割穴および前記嵌合部間の摩擦力、前記弾性力による前記第２分割穴および前記嵌合部間の摩擦力が発生し、前記第１分割部材および前記第２分割部材を互いに連結したことを特徴とする転がり軸受。
【請求項２】
前記連結穴は、前記保持器の軸方向に貫通し、
前記連結部材は、前記連通穴を貫通した軸方向両側に、外径方向に延びる鍔部を有し、
前記鍔部を前記保持器の軸方向両側の端面に接触させたことを特徴とする請求項１に記載の転がり軸受。
【請求項３】
前記嵌合部は、円筒形状を有し、円周上１箇所に軸方向および半径方向に貫通する割りを有することを特徴とする請求項１に記載の転がり軸受。
【発明の詳細な説明】
【技術分野】
【０００１】
本発明は、保持器を第１分割部材および第２分割部材で構成した転がり軸受に関する。
【背景技術】
【０００２】
例えば特許文献１に示す転がり軸受は、外輪および内輪間に複数の玉を配置し、軸方向の一側から第１分割部材を外輪および内輪間へ挿入し、軸方向の他側から第２分割部材を外輪および内輪間へ挿入し、第１分割部材および第２分割部材を分割面で互いに密接させ、第１分割部材の第１分割穴および第２分割部材の第２分割穴にリベットを挿入し、リベットの両端に鋲頭を形成し、これらの鋲頭を保持器の軸方向両側の端面に接触させることによって、第１分割部材および第２分割部材を一体化していた。第１分割部材および第２分割部材によって、玉を回転可能に保持するポケットが形成されている。
【先行技術文献】
【特許文献】
【０００３】
【特許文献１】特開平８−７４８５９号公報
【発明の概要】
【発明が解決しようとする課題】
【０００４】
第１分割部材および第２分割部材は樹脂で構成され、リベットは鉄で構成されているため、常温時に鋲頭を形成して第１分割部材および第２分割部材を連結しても、極低温時は第１分割部材および第２分割部材と鋲頭間に隙間ができ、第１分割部材および第２分割部材を連結する力が低下する。第１分割部材および第２分割部材が個別に動くことによって、鋲頭近辺で第１分割部材および第２分割部材に割れが発生しやすい。本発明は、上述した問題点を解決するためになされたもので、その目的とするところは、第１分割部材および第２分割部材に割れが発生しにくい転がり軸受を提供する。
【課題を解決するための手段】
【０００５】
請求項１の転がり軸受は、内周に外輪側軌道面を形成したリング状の外輪と、この外輪の内周側に配置され、外周に内輪側軌道面を形成したリング状の内輪と、前記外輪および前記内輪間に配置され、円周方向に複数のポケットを形成したリング状の保持器と、前記外輪側軌道面および前記内輪側軌道面上を転動し、前記ポケットに回転可能に保持される複数の転動体とを備えた転がり軸受において、前記保持器は、前記ポケットを含む位置で軸方向に２分する分割面を有するとともに、前記分割面と交差する方向に穿孔された連結穴を円周方向に複数有し、前記保持器は、前記分割面で分割された第１分割部材および第２分割部材と、前記第１分割部材および前記第２分割部材を連結する棒状の連結部材とからなり、前記第１分割部材は、前記連結穴の一部を構成する第１分割穴を有し、前記第２分割部材は、前記連結穴の前記第１分割穴以外の残りの部分を構成する第２分割穴を有し、前記連結部材は、前記第１分割穴および前記第２分割穴に嵌合される嵌合部を有するとともに、前記嵌合部を前記第１分割穴および前記第２分割穴に対し外径方向に拡大する弾性力で持って接触させる弾性機能を有し、前記弾性力による前記第１分割穴および前記嵌合部間の摩擦力、前記弾性力による前記第２分割穴および前記嵌合部間の摩擦力が発生し、前記第１分割部材および前記第２分割部材を互いに連結したことを特徴とするものである。
【０００６】
請求項１によれば、第１分割部材および第２分割部材と連結部材間に線膨張係数の差があっても、連結部材の持つ弾性機能によって、第１分割穴および嵌合部間の摩擦力、第２分割穴および嵌合部間の摩擦力が発生し、第１分割部材および第２分割部材を互いに連結することができ、第１分割部材および第２分割部材に割れが発生しにくい。
【０００７】
請求項２の転がり軸受は、前記連結穴が、前記保持器の軸方向に貫通し、前記連結部材が、前記連通穴を貫通した軸方向両側に、外径方向に延びる鍔部を有し、前記鍔部を前記保持器の軸方向両側の端面に接触させたことを特徴とするものである。
【０００８】
請求項２によれば、第１分割部材および第２分割部材と連結部材間に線膨張係数の差があっても、連結部材の持つ弾性機能によって、第１分割穴および嵌合部間の摩擦力、第２分割穴および嵌合部間の摩擦力が発生し、第１分割部材および第２分割部材を互いに連結することができ、第１分割部材および第２分割部材に割れが発生しにくい。第１分割部材および第２分割部材にかかる軸方向の大きな力は、鍔部で受け止めることができ、第１分割部材および第２分割部材が分離するのを防止できる。
【０００９】
請求項３の転がり軸受は、前記嵌合部が、円筒形状を有し、円周上１箇所に軸方向および半径方向に貫通する割りを有することを特徴とするものである。
【００１０】
請求項３によれば、第１分割部材および第２分割部材と連結部材間に線膨張係数の差があっても、連結部材の持つ弾性機能によって、第１分割穴および嵌合部間の摩擦力、第２分割穴および嵌合部間の摩擦力が発生し、第１分割部材および第２分割部材を互いに連結することができ、第１分割部材および第２分割部材に割れが発生しにくい。連結部材を簡単に製造することができる。
【発明の効果】
【００１１】
本発明によれば、第１分割部材および第２分割部材と連結部材間に線膨張係数の差があっても、連結部材の持つ弾性機能によって、第１分割穴および嵌合部間の摩擦力、第２分割穴および嵌合部間の摩擦力が発生し、第１分割部材および第２分割部材を互いに連結することができ、第１分割部材および第２分割部材に割れが発生しにくい転がり軸受を提供することができる。
【図面の簡単な説明】
【００１２】
【図１】本発明の一実施形態における転がり軸受の玉位置で断面した断面図
【図２】本発明の一実施形態における転がり軸受の連結部材位置で断面した断面図
【図３】本発明の一実施形態における図２の連結部材のＡ矢視図
【発明を実施するための形態】
【００１３】
本発明の一実施形態について、図１乃至図３を参酌しつつ説明する。
【００１４】
図１および図２に示すように転がり軸受２０は、転動体として玉を使った玉軸受である。転がり軸受２０は、リング状の外輪２１と、外輪２１の内周側に配置されるリング状の内輪３０と、外輪２１および内輪３０間に配置されるリング状の保持器５０と、保持器５０に回転可能に保持される複数の玉４０とからなっている。外輪２１、内輪３０、玉４０は、いずれも鉄で構成されている。
【００１５】
外輪２１の内周には、断面円弧状の外輪側軌道面２２が形成され、外輪側軌道面２２を挟んで軸方向両側に、外輪側肩面２３が軸線と平行に形成されている。
【００１６】
内輪３０の外周には、断面円弧状の内輪側軌道面３２が形成され、内輪側軌道面３２を挟んで軸方向両側に、内輪側肩面３３が軸線と平行に形成されている。
【００１７】
保持器５０は、円周方向に複数のポケット５１を有し、各ポケット５１に玉４０が回転可能に保持されている。ポケット５１は、円柱形状を有し、外径側から見て円形状を有する。保持器５０は、外輪２１および内輪３０間へ軸方向の一側から挿入される第１分割部材５６と、外輪２１および内輪３０間へ軸方向の他側から挿入される第２分割部材５７と、第１分割部材５６および第２分割部材５７を連結する連結部材７０とを備えたものである。第１分割部材５６および第２分割部材５７は樹脂で構成され、連結部材７０は鉄で構成されている。
【００１８】
保持器５０は、ポケット５１の位置で軸方向に２分する分割面を有する。分割面は、内
径方向に延びる第１分割面５２と、第１分割面５２の内径側で水平方向に延びる第２分割面５３と、第２分割面５３の他端側で内径方向に延びる第３分割面５４および第４分割面５５とからなる。第１分割面５２、第２分割面５３、第３分割面５４、第４分割面５５は、円周方向に連続した面を有する。第３分割面５４は第１分割部材５６に有し、第４分割面５５は第２分割部材５７に有し、第３分割面５４および第４分割面５５間には、軸方向に僅かな隙間が存在する。
【００１９】
図２に示すように保持器５０は、軸方向に貫通する連結穴を有する。連結穴は、ポケット５１間で、円周方向に複数設けられている。連結穴は、第１分割部材５６に形成された第１分割穴５６ａと、第２分割部材５７に形成された第２分割穴５７ａとからなる。第１分割穴５６ａおよび第２分割穴５７ａは、第１分割面５２に対して垂直に穿孔されている。
【００２０】
連結部材７０は、第１分割穴５６ａおよび第２分割穴５７ａに圧入嵌合される嵌合部７２と、嵌合部７２の軸方向の一端で外径方向に延びる第１鍔部７１と、嵌合部７２の軸方向の他端で外径方向に延びる第２鍔部７３とを有する。嵌合部７２は、円筒形状を有し、円周上１箇所に、軸方向および半径方向に貫通する割り７５を有する。第１鍔部７１は、円周方向に複数の舌片からなり、割り７５に対応する角度位置には、舌片が設けられていない（図３）。舌片は、嵌合部７２の軸線と平行に伸ばした状態から、外径方向に折り曲げたものである。第２鍔部７３は、円盤形状を有し、円周上１箇所に軸方向および半径方向に貫通する割り７５を有する。
【００２１】
嵌合部７２および第２鍔部７３は、焼き入れ、焼き戻しの熱処理がなされ、半径方向に拡大縮小する弾性力を有する。第１鍔部７１は、焼き入れ、焼き戻しの熱処理がなされていないため、外径方向に折り曲げやすい。連結部材７０は、板材を円筒形状に折り曲げ、板材の両端に割り７５を形成し、切断および折り曲げによって第１鍔部７１を形成し、塑性変形によって第２鍔部７３を形成し、熱処理することによって作られる。このような工程で足りるため、簡単に製造することができる。
【００２２】
続いて、一実施形態における転がり軸受２０の組付け動作について説明する。
【００２３】
図１において、外輪２１に対して内輪３０を平行にかつ偏心して配置し、外輪２１および内輪３０間の偏心量が多い箇所に全ての玉４０を挿入し、玉４０を外輪２１の円周方向にずらして、外輪２１に対して内輪３０を同軸に配置する。玉４０を円周方向に等間隔に配置する。第１分割部材５６を外輪２１および内輪３０間へ軸方向の一側から挿入し、第２分割部材５７を外輪２１および内輪３０間へ軸方向の他側から挿入する。
【００２４】
第１分割面５２および第２分割面５３で第１分割部材５６および第２分割部材５７を互いに密接させ、第１分割部材５６の第３分割面５４および第２分割部材５７の第４分割面５５間に軸方向に隙間を形成する。
【００２５】
図２において、舌片を嵌合部７２の軸線と平行に伸ばした状態で、舌片より第２分割穴５７ａへ挿入する。嵌合部７２が第２分割穴５７ａ、第１分割穴５６ａの順に圧入嵌合される。舌片は第１分割穴５６ａから抜け出すと、外径側へ折り曲げられる。嵌合部７２は、外径方向に拡大する弾性力を持って第１分割部材５６および第２分割部材５７に圧入嵌合されている。嵌合部７２の外径方向に拡大する弾性力によって、第１分割穴５６ａおよび嵌合部７２間の摩擦力、第２分割穴５７ａおよび嵌合部７２間の摩擦力が発生し、第１分割部材５６および第２分割部材５７を互いに連結することができる。第１鍔部７１は保持器５０の軸方向の一側の端面に密接し、第２鍔部７３は保持器５０の軸方向の他側の端面に密接する。
【００２６】
次に、一実施形態における転がり軸受２０の使用状況について説明する。
【００２７】
図１において、内輪３０が外輪２１に対して回転し、玉４０は外輪側軌道面２２および内輪側軌道面３２上を転動する。保持器５０は、玉４０と共に内輪３０と同方向に回転する。保持器５０は、玉４０に支持されず、内輪３０に滑り接触しながら支持される。保持器５０は、樹脂で構成され、自己潤滑性を有するため、鉄である玉４０、内輪３０に対し摩擦係数が低い状態で接触し、摩耗しにくい。
【００２８】
図２において、転がり軸受２０は、極低温で使用される。連結部材７０に比べて第１分割部材５６および第２分割部材５７の方が大きく熱収縮する。嵌合部７２の外径方向に拡大する弾性力によって、第１分割穴５６ａおよび嵌合部７２間の摩擦力、第２分割穴５７ａおよび嵌合部７２間の摩擦力が発生し、第１分割部材５６および第２分割部材５７を互いに連結することができる。第１分割部材５６および第２分割部材５７は、第１分割面５２および第２分割面５３で密接する状態を維持し、保持器５０の軸方向の一側の端面および第１鍔部７１間に隙間ができ、保持器５０の軸方向の他側の端面および第２鍔部７３間に隙間ができる。第１分割部材５６および第２分割部材５７が個別に動くことがないので、第１鍔部７１および第２鍔部７３の近辺で第１分割部材５６および第２分割部材５７に割れが発生する恐れがない。
【００２９】
玉４０を介して、第１分割部材５６あるいは第２分割部材５７に大きな軸方向の力が作用した場合、第１鍔部７１に第１分割部材５６の端面が接触するか、第２鍔部７３に第２分割部材５７の端面が接触し、連結部材７０に対し第１分割部材５６あるいは第２分割部材５７が抜けることがない。第１鍔部７１および第２鍔部７３によって、第１分割部材５６および第２分割部材５７が分離するのを防止できる。
【００３０】
本発明はこうした実施形態に何等限定されるものではなく、本発明の要旨を逸脱しない範囲において、種々なる態様で実施し得ることは勿論である。
【００３１】
上述した実施形態は、転がり軸受２０として、玉軸受を使用した。他の実施形態として、転がり軸受２０は、円すいころ軸受、あるいはころ軸受であっても良い。
【符号の説明】
【００３２】
２１：外輪、２２：外輪側軌道面、３０：内輪、３２：内輪側軌道面、４０：玉（転動体）、５０：保持器、５２：第１分割面（分割面）、５６：第１分割部材、５６ａ：第１分割穴、５７：第２分割部材、５７ａ：第２分割穴、７０：連結部材、７１：第１鍔部、７２：嵌合部、７３：第２鍔部
【図１】
2015075140.tif 000003
【図２】
2015075140.tif 000004
【図３】
2015075140.tif 000005